(57)【要約】【課題】急激に上昇したシリンダ内の圧力を低下させることができるトリガー式液体噴出器を提供する。【解決手段】トリガー部５１の後方への移動によって、液体を縦供給筒部１０内から射出筒部１１内を通じて噴出孔４側に流通させるトリガー式液体噴出器１であって、噴出器本体２は、縦供給筒部１０内を通して、容器体Ａ内から射出筒部１１内およびシリンダ５３内へ液体が流通するのを許容し、かつ縦供給筒部１０内を通して、射出筒部１１内およびシリンダ５３内から容器体Ａ内へ液体が流通するのを遮断する逆止弁３６と、ピストンガイド６２内と容器体Ａ内とを連通する回収通路４３と、を備え、ピストンガイド６２には、ピストン本体部７２内とピストンガイド６２内とを連通する連通開口部６２ａが形成され、ピストンガイド６２は、その径方向の内側に向けて弾性変形可能に形成されている。【選択図】図１
2018108543.tif 000002
【特許請求の範囲】
【請求項１】
液体が収容された容器体に装着される噴出器本体と、
前記噴出器本体の前方側に配設され、液体を噴射する噴出孔が形成されたノズル部と、を備え、
前記噴出器本体は、上下方向に延在し、前記容器体内の液体を吸上げる縦供給筒部と、
前記縦供給筒部の前方に配設され、前記縦供給筒部内の液体を前記噴出孔に導く射出筒部と、
前記縦供給筒部の前方に前方付勢状態で後方に移動自在に配設されたトリガー部を有し、前記トリガー部の後方への移動によって、液体を前記縦供給筒部内から前記射出筒部内を通じて前記噴出孔側に向けて流通させるトリガー機構と、を備えたトリガー式液体噴出器であって、
前記トリガー機構は、前記トリガー部の前後動に伴って前後動させられるピストンと、前記ピストンの前後動に伴って内部が加圧および減圧させられるとともに、前方に向けて開口し、かつ内部が前記縦供給筒部内と連通するシリンダと、を有し、
前記シリンダは、その内側に配置され、前後方向に延びる筒状のピストンガイドを備え、
前記ピストンは、後方に向けて開口し、その内部に前記ピストンガイドが挿入されるとともに、前記トリガー部が連結された筒状のピストン本体部と、
外周面が前記シリンダの内周面に全周にわたって当接し、かつ内周面が前記ピストンガイドの外周面に全周にわたって当接する摺動筒部と、を備え、
前記噴出器本体は、前記縦供給筒部内を通して、前記容器体内から前記射出筒部内および前記シリンダ内へ液体が流通するのを許容し、かつ前記縦供給筒部内を通して、前記射出筒部内および前記シリンダ内から前記容器体内へ液体が流通するのを遮断する逆止弁と、
前記ピストンガイド内と前記容器体内とを連通する回収通路と、を備え、
前記ピストンガイドには、前記ピストン本体部内と前記ピストンガイド内とを連通する連通開口部が形成され、
前記ピストンガイドは、その径方向の内側に向けて弾性変形可能に形成されていることを特徴とするトリガー式液体噴出器。
【請求項２】
前記ピストンガイドは、その周方向の一部が、径方向の内側に向けて弾性変形可能に形成されていることを特徴とする請求項１に記載のトリガー式液体噴出器。
【請求項３】
前記ピストンガイドは、径方向に薄肉に形成されて弾性変形可能に形成されていることを特徴とする請求項１又は２に記載のトリガー式液体噴出器。
【請求項４】
前記噴出孔を通した外部と前記ノズル部内との連通を遮断する遮断手段を備えていることを特徴とする請求項１から３のいずれか１項に記載のトリガー式液体噴出器。
【発明の詳細な説明】
【技術分野】
【０００１】
本発明は、トリガー式液体噴出器に関する。
【背景技術】
【０００２】
従来、例えば下記特許文献１に示されるように、液体が収容された容器体に装着される噴出器本体と、噴出器本体の前方側に配設され、液体を噴射する噴出孔が形成されたノズル部と、を備え、噴出器本体は、上下方向に延在し、容器体内の液体を吸上げる縦供給筒部と、縦供給筒部の前方に配設され、縦供給筒部内の液体を噴出孔に導く射出筒部と、縦供給筒部の前方に前方付勢状態で後方に移動自在に配設されたトリガー部を有し、トリガー部の後方への移動によって、液体を縦供給筒部内から射出筒部内を通じて噴出孔側に向けて流通させるトリガー機構と、を備えたトリガー式液体噴出器が知られている。
【先行技術文献】
【特許文献】
【０００３】
【特許文献１】特開２０１１−１７７６３０号公報
【発明の概要】
【発明が解決しようとする課題】
【０００４】
しかしながら、前記従来のトリガー式液体噴出器では、例えば落下等により、トリガー部が後方に向けて勢いよく牽引された場合等に、シリンダ内の圧力が急激に上昇すると、ノズル部が噴出器本体から脱離等したり、トリガー部とピストンとの連結部分等に大きな力がかかることで破損したりするおそれがあった。
【０００５】
そこで本発明は、前述した事情に鑑みてなされたものであり、急激に上昇したシリンダ内の圧力を低下させることができるトリガー式液体噴出器を提供することを目的とする。
【課題を解決するための手段】
【０００６】
前記課題を解決するために、本発明に係るトリガー式液体噴出器は、液体が収容された容器体に装着される噴出器本体と、前記噴出器本体の前方側に配設され、液体を噴射する噴出孔が形成されたノズル部と、を備え、前記噴出器本体は、上下方向に延在し、前記容器体内の液体を吸上げる縦供給筒部と、前記縦供給筒部の前方に配設され、前記縦供給筒部内の液体を前記噴出孔に導く射出筒部と、前記縦供給筒部の前方に前方付勢状態で後方に移動自在に配設されたトリガー部を有し、前記トリガー部の後方への移動によって、液体を前記縦供給筒部内から前記射出筒部内を通じて前記噴出孔側に向けて流通させるトリガー機構と、を備えたトリガー式液体噴出器であって、前記トリガー機構は、前記トリガー部の前後動に伴って前後動させられるピストンと、前記ピストンの前後動に伴って内部が加圧および減圧させられるとともに、前方に向けて開口し、かつ内部が前記縦供給筒部内と連通するシリンダと、を有し、前記シリンダは、その内側に配置され、前後方向に延びる筒状のピストンガイドを備え、前記ピストンは、後方に向けて開口し、その内部に前記ピストンガイドが挿入されるとともに、前記トリガー部が連結された筒状のピストン本体部と、外周面が前記シリンダの内周面に全周にわたって当接し、かつ内周面が前記ピストンガイドの外周面に全周にわたって当接する摺動筒部と、を備え、前記噴出器本体は、前記縦供給筒部内を通して、前記容器体内から前記射出筒部内および前記シリンダ内へ液体が流通するのを許容し、かつ前記縦供給筒部内を通して、前記射出筒部内および前記シリンダ内から前記容器体内へ液体が流通するのを遮断する逆止弁と、前記ピストンガイド内と前記容器体内とを連通する回収通路と、を備え、前記ピストンガイドには、前記ピストン本体部内と前記ピストンガイド内とを連通する連通開口部が形成され、前記ピストンガイドは、その径方向の内側に向けて弾性変形可能に形成されていることを特徴とする。
【０００７】
この発明によれば、トリガー部を後方に移動させ、ピストンをシリンダに対して後退移動させると、ピストンの摺動筒部のうち、外周面がシリンダの内周面に、内周面がピストンガイドの外周面に、それぞれ当接した状態で後方に向けて移動し、ピストンとシリンダとの間の液体が加圧される。この際、逆止弁によって、射出筒部内およびピストン内から容器体内への液体の流入が遮断される。したがって、この加圧された液体が、シリンダ内から縦供給筒部内を通して射出筒部内に流入し、射出筒部内からノズル部に至り、噴出孔から噴射される。
【０００８】
そして、ピストンガイドが径方向の内側に向けて弾性変形可能に形成されているので、例えば、トリガー部が後方に向けて勢いよく牽引され、シリンダ内、射出筒部内、およびノズル部内等の圧力が急激に上昇すると、シリンダ内の液体が、ピストンガイドの外周面を径方向の内側に弾性変形させながら、ピストンガイドの外周面と摺動筒部の内周面との間を通り抜け、ピストン本体部内に流入する。そしてこの液体は、ピストンガイドの連通開口部内を通してピストンガイド内に流入し、回収通路を通して容器体内に戻される。これにより、急激に上昇したシリンダ内の圧力を低下させることができる。
【０００９】
また、前記ピストンガイドは、その周方向の一部が、径方向の内側に向けて弾性変形可能に形成されてもよい。
この場合には、ピストンガイドにシリンダ内の液体の圧力が加えられると、ピストンガイドの弾性変形可能に形成された周方向の一部に力が集中して加わりやすくなり、この周方向の一部を容易に変形させることができる。
【００１０】
また、前記ピストンガイドは、径方向に薄肉に形成されて弾性変形可能に形成されてもよい。
この場合には、例えばピストンガイドを複数の材質を組み合わせて形成するような構成と比較して、ピストンガイドを容易に弾性変形可能に形成することができる。
【００１１】
また、前記噴出器本体は、前記噴出孔を通した外部と前記ノズル部内との連通を遮断する遮断手段を備えてもよい。
この場合には、遮断手段により噴出孔を通した外部とノズル部内との連通が遮断されている場合に、例えばトリガー部が後方に向けて勢いよく牽引されると、特にシリンダ内の圧力が高まりやすくなっているにもかかわらず、このように上昇したシリンダ内の圧力を低下させることができる。
【発明の効果】
【００１２】
本発明によれば、急激に上昇したシリンダ内の圧力を低下させることができる。
【図面の簡単な説明】
【００１３】
【図１】本発明の一実施形態に係るトリガー式液体噴出器の前後方向に沿う縦断面図である。
【図２】本発明のピストンガイドにおけるシリンダ軸に直交する横断面図である。
【発明を実施するための形態】
【００１４】
以下、図１および図２を参照して、本発明の一実施形態に係るトリガー式液体噴出器１について説明する。なお、以下の説明に用いる各図面では、各部材を認識可能な大きさとするために縮尺を適宜変更している。
【００１５】
図１に示すように、トリガー式液体噴出器１は、液体が収容された容器体Ａに装着される噴出器本体２と、噴出器本体２に配設され、液体を噴射する噴出孔４が形成されたノズル部３と、を備えている。また、噴出器本体２は、容器体Ａ内の液体を吸上げる縦供給筒部１０と、縦供給筒部１０内の液体を噴出孔４に導く射出筒部１１と、を備えている。
【００１６】
ここで、以下の説明において、縦供給筒部１０の中心軸線Ｏ１に沿う方向を上下方向といい、上下方向に沿って容器体Ａ側を下側、その反対側を上側という。また、上下方向から見た平面視において、中心軸線Ｏ１に直交する方向を軸径方向といい、軸径方向のうちの一方向を前後方向といい、上下方向および前後方向の双方向に直交する方向を左右方向という。また、前後方向のうち、縦供給筒部１０から射出筒部１１が延びる方向を前側といい、その反対方向を後側という。
【００１７】
縦供給筒部１０は、外筒１２と、外筒１２内に嵌合される内筒１３と、を備えている。
外筒１２は、大径部１２ａと、大径部１２ａの上方に配設され、かつ大径部１２ａよりも縮径した小径部１２ｂと、大径部１２ａの上端部と小径部１２ｂの下端部とを連結する環状連結部１２ｃと、小径部１２ｂの上端部を閉塞する天壁部１２ｄと、を備えている。
天壁部１２ｄは、後述する逆止弁３６の上方を覆っている。小径部１２ｂの下端部は、環状連結部１２ｃよりも下方に突出している。
【００１８】
内筒１３は、外筒１２の大径部１２ａが外嵌された大径部１３ａと、大径部１３ａの上方に配設され、かつ大径部１３ａよりも縮径した小径部１３ｂと、大径部１３ａの上端部と小径部１３ｂの下端部とを連結するフランジ部１３ｃと、を備え、下方から上方に向けて縮径した二段筒状に形成されている。小径部１３ｂの上側の部分には、小径部１３ｂよりもさらに外径の小さい縮径部１３ｇが形成されている。縮径部１３ｇの上端部のうち、前側の部分には、上方及および前方に向けて開口する切り欠き部１３ｆが形成されている。
【００１９】
内筒１３の小径部１３ｂ内には、容器体Ａ内に配設され、かつ容器体Ａの図示しない底部に下端開口が位置するパイプ１５の上部が嵌合されている。小径部１３ｂ内が、容器体Ａ内の液体を噴出器本体２内に供給する供給通路Ｌ１とされている。
内筒１３のフランジ部１３ｃは、外筒１２の環状連結部１２ｃとの間に隙間Ｓ１を確保した状態で、外筒１２の環状連結部１２ｃよりも下方に位置している。
【００２０】
内筒１３の大径部１３ａにおいて、外筒１２の大径部１２ａから下方に突出した部分には、その軸径方向の外側に向けて突出する環状の鍔部１３ｄが形成されている。鍔部１３ｄは、容器体Ａの口部Ａ１に装着（例えば螺着）される装着キャップ１４の上端部内に配設され、装着キャップ１４の上端部をその軸線回りに回転自在に係止する。鍔部１３ｄは、装着キャップ１４と容器体Ａの口部Ａ１における上端開口縁とにより上下方向に挟まれる。
なお、外筒１２および内筒１３で構成される縦供給筒部１０の中心軸線Ｏ１は、容器体Ａの容器軸に対して後側に偏心している。
【００２１】
内筒１３の内周面のうち、パイプ１５の上端よりも上方に位置する部分には、内側に向けて突出する環状のテーパ筒部３５が形成されている。
テーパ筒部３５は、下方に向かうに従って漸次縮径している。テーパ筒部３５の内側には、テーパ筒部３５の内周面に離反可能に着座する球状の逆止弁３６が配設されている。
逆止弁３６は、テーパ筒部３５の内周面から離反することで、縦供給筒部１０内を通して、容器体Ａ内から射出筒部１１内および後述するシリンダ５３内へ液体が流通するのを許容する。また、逆止弁３６は、テーパ筒部３５の内周面に着座することで、縦供給筒部１０内を通して、射出筒部１１内およびシリンダ５３内から容器体Ａ内へ液体が流通するのを遮断する。図示の例では、逆止弁３６は供給通路Ｌ１内のうち、テーパ筒部３５よりも上方に位置する下流側の空間と、テーパ筒部３５よりも下方に位置する上流側の空間と、を連通および遮断する。
【００２２】
図１に示すように、射出筒部１１よりも下方に位置する部分には、前方に向けて突出するシリンダ用筒部４０が外筒１２と一体に形成されている。
シリンダ用筒部４０は、前方に向けて開口しているとともに、外筒１２における環状連結部１２ｃと一体に形成されている。
【００２３】
射出筒部１１は、縦供給筒部１０から前方に向けて突出し、後端部が縦供給筒部１０における上端部の前側に接続されている。射出筒部１１の内部は、外筒１２に形成され、内筒１３の縮径部１３ｇにおける外周面に向けて開口する吐出孔１６を通じて縦供給筒部１０内に連通している。射出筒部１１の上面には、水平板状の上板部材８４が取り付けられている。
【００２４】
噴出器本体２は、縦供給筒部１０の前方に前方付勢状態で後方に移動自在に配設されたトリガー部５１を有し、トリガー部５１の後方への移動によって、液体を縦供給筒部１０内から射出筒部１１内を通じて噴出孔４側に向けて流通させるトリガー機構５０を備えている。
トリガー機構５０は、トリガー部５１の前後動に伴って前後動させられるピストン５２と、ピストン５２の前後動に伴って内部が加圧および減圧させられるとともに、前方に向けて開口するシリンダ５３と、を有している。
【００２５】
以下の説明において、シリンダ５３の中心軸線をシリンダ軸Ｏ２という。また、前後方向から見てシリンダ軸Ｏ２と直交する方向をシリンダ径方向（径方向）といい、シリンダ軸Ｏ２回りに周回する方向をシリンダ周方向という。
トリガー機構５０はさらに、トリガー部５１を前方に付勢する弾性板部５４と、縦供給筒部１０および射出筒部１１の全体を、少なくとも上方および左右方向から覆うカバー体５５と、を備えている。
【００２６】
シリンダ５３は、縦供給筒部１０から前方に突出している。シリンダ５３には、シリンダ５３内と縦供給筒部１０内とを連通する連通孔６６が形成されている。連通孔６６は、シリンダ５３の後壁部６１に形成されている。
シリンダ５３は、前方に向けて開口する外筒部６０と、外筒部６０の後方開口部を塞ぐ後壁部６１と、シリンダ５３の内側に配置され、前後方向に延びる筒状のピストンガイド６２と、を備えている。
【００２７】
外筒部６０は、シリンダ用筒部４０の内側に嵌合されている。シリンダ用筒部４０の内周面と外筒部６０の外周面とは、前後方向の両端部において密接している。その一方、シリンダ用筒部４０の内周面と外筒部６０の外周面との間のうち、前後方向の両端部同士の間に位置する中間部に、環状の隙間Ｓ２が設けられている。
【００２８】
外筒部６０には、外筒部６０の内側と隙間Ｓ２とを連通させる第１通気孔６３が形成されている。外筒１２の環状連結部１２ｃには、上記隙間Ｓ２と、外筒１２の環状連結部１２ｃと内筒１３のフランジ部１３ｃとの間に画成された隙間Ｓ１と、を連通させる第２通気孔６４が形成されている。さらに、内筒１３のフランジ部１３ｃには、上記隙間Ｓ１と、装着キャップ１４の内側と、を連通させる第３通気孔６５が形成されている。
【００２９】
ピストンガイド６２は、後壁部６１のシリンダ径方向の中央部から、前方に向けて突設されるとともに前端および後端が開口しており、後端開口部内に、シリンダ用筒部４０における後壁であって、外筒１２の小径部１２ｂから前方に向けて突設された嵌合筒部４１が嵌合されている。ピストンガイド６２の前端開口部が、後述するピストン本体部７２内とピストンガイド６２内とを連通する連通開口部６２ａとなっている。
ピストンガイド６２の外周面における後端部には、環状の窪み部６２ｂが形成されている。
【００３０】
連通孔６６は、シリンダ５３の後壁部６１のうち、ピストンガイド６２の上方に位置する部分を前後方向に貫いている。図示の例では、後壁部６１における連通孔６６の開口周縁部に、後方に向けて突出する突出筒部６７が形成されており、この突出筒部６７が、外筒１２の小径部１２ｂに形成された貫通孔内に嵌合されている。この貫通孔は、内筒１３の縮径部１３ｇにおける外周面に向けて開口している。
【００３１】
縦供給筒部１０のうち、外筒１２の内周面と、内筒１３の縮径部１３ｇにおける外周面と、の間には連絡通路Ｌ２が形成されている。連絡通路Ｌ２は、外筒１２に形成された吐出孔１６を通して射出筒部１１内に連通している。また、連絡通路Ｌ２は、切り欠き部１３ｆを通して、小径部１３ｂ内の供給通路Ｌ１と連通している。
【００３２】
また、縦供給筒部１０における外筒１２の小径部１２ｂの内周面と、内筒１３の小径部１３ｂの外周面と、の間のうち、前側の部分には、嵌合筒部４１内と、内筒１３の第３通気孔６５内と、を連通する接続通路４２が形成されている。そして、嵌合筒部４１内、接続通路４２、および第３通気孔６５は、ピストンガイド６２内と容器体Ａ内とを連通し、供給通路Ｌ１および連絡通路Ｌ２とは異なる通路である回収通路４３を構成している。
なお、回収通路４３としては、このような態様に限られず、例えばシリンダ５３に形成される等、縦供給筒部１０とは異なる部分に形成されてもよい。
【００３３】
ピストン５２は、後方に向けて開口し、かつ内部にピストンガイド６２が挿入されるピストン本体部７２と、ピストン本体部７２の後端部から、そのシリンダ径方向の外側に向けて突出する摺動筒部７３と、を備えている。ピストン５２は、シリンダ軸Ｏ２と同軸上に配設され、シリンダ５３内の液体を縦供給筒部１０内および射出筒部１１内へと供給する。
【００３４】
ピストン本体部７２の内周面は、ピストンガイド６２の外周面とシリンダ径方向に隙間をあけて対向している。ピストン本体部７２の前端部には、トリガー部５１に連結される円柱状の連結部７０が形成されている。連結部７０は、ピストン本体部７２よりも小径とされている。
摺動筒部７３は、ピストンガイド６２に前後方向に摺動自在に嵌合されている。これにより、シリンダ５３内において、摺動筒部７３よりも後側に位置する部分に、縦供給筒部１０における連絡通路Ｌ２から連通孔６６を通して液体が流入される貯留室５３ａが形成されている。
【００３５】
摺動筒部７３は、前後方向の中央部から前方および後方に向かうに従って漸次拡径するテーパ状に形成されている。摺動筒部７３は、外周面がシリンダ５３の内周面に全周にわたって当接し、かつ内周面がピストンガイド６２の外周面に全周にわたって当接している。
摺動筒部７３のうち、前後方向の両端部に位置するリップ部７３ａが、シリンダ５３の外筒部６０の内周面に当接している。
【００３６】
ピストン５２の連結部７０は、後述する連結軸８６を介してトリガー部５１に連結されている。これにより、ピストン５２は、トリガー部５１とともに弾性板部５４の付勢力によって前方に付勢されているとともに、トリガー部５１の後方への揺動に伴って後方に移動してシリンダ５３内に押し込まれる。
【００３７】
また、トリガー部５１が最前方揺動位置（最前進位置）にあるときに、ピストン５２の摺動筒部７３は第１通気孔６３を閉塞している。そして、トリガー部５１の後方への揺動によってピストン５２が所定量だけ後方移動したときに、摺動筒部７３が第１通気孔６３を開放する。これにより、容器体Ａの内部は、第３通気孔６５、第２通気孔６４および第１通気孔６３を通じて外部に連通する。
【００３８】
ところで、トリガー部５１を最初に操作する場合には、後述する蓄圧弁１２４に、後方に向けて空気の圧力を作用させることで、蓄圧弁１２４を後退させて噴出孔４を開放し、貯留室５３ａ内の空気を排出させる必要がある。しかしながら、蓄圧弁１２４に作用する後方に向けた空気の圧力が所定の圧力を下回ると、後述するコイルスプリング２２５の前方付勢力によって蓄圧弁１２４が前進し、噴出孔４が閉塞され、空気の排出が停止する。このため貯留室５３ａ内に空気が残存しやすい。そこで本実施形態では、下記のように貯留室５３ａ内と容器体Ａ内とを連通させて、貯留室５３ａ内に残存した空気を容器体Ａ内に排出可能としている。
【００３９】
すなわち、トリガー部５１が最後方揺動位置に位置し、ピストン５２が最後方移動位置に移動した状態では、摺動筒部７３の内周面の後端部が、ピストンガイド６２の窪み部６２ｂと前後方向に同等の位置に位置する。このとき、貯留室５３ａ内とピストン本体部７２内とが、ピストン本体部７２の内周面と、ピストンガイド６２の外周面と、の間を通して連通する。
これにより、貯留室５３ａ内が、ピストン本体部７２の内周面と、ピストンガイド６２の外周面と、の間、ピストン本体部７２内、連通開口部６２ａ、ピストンガイド６２内、および回収通路４３を通して容器体Ａ内に連通する。以上により、トリガー部５１を最初に操作する場合に、貯留室５３ａ内の空気を容器体Ａ内に効率よく排出することができる。
【００４０】
また、貯留室５３ａ内に内容物が満たされている場合には、トリガー部５１を最後方揺動位置まで揺動させた際に貯留室５３ａ内に残圧が生じて、この残圧によって噴出孔４から内容物が不意に吐出される「液だれ」が発生する場合がある。本実施形態によれば、貯留室５３ａ内に残圧が生じても、この残圧をピストン本体部７２の内周面と、ピストンガイド６２の外周面と、の間、ピストン本体部７２内、連通開口部６２ａ、ピストンガイド６２内、および回収通路４３を通して容器体Ａ内に回収することができるため、残圧による噴出孔４からの液だれを抑制し、液切れを良くすることができる。
【００４１】
トリガー部５１は、左右方向から見た側面視で後方に向けて凹状に湾曲する前面を有する主板部材８０と、主板部材８０の左右の側縁部から後方に向けて起立する一対の側板部材８１と、を備えている。
【００４２】
一対の側板部材８１の上端部には、射出筒部１１の側方に至るまで上方に延出し、射出筒部１１を左右方向から挟み込む一対の連結板８２が形成されている。一対の連結板８２には、左右方向の外側に向けて回転軸部８３が突設されている。これら回転軸部８３は、射出筒部１１の上方を覆う上板部材８４に設けられた軸受け部に回動可能に支持されている。これにより、トリガー部５１は、回転軸部８３を中心に前後方向に揺動可能とされている。
【００４３】
トリガー部５１には、主板部材８０を前後方向に貫通する開口部５１ａが形成されているとともに、開口部５１ａの周縁部から後方に向けて延びるように連結筒８５が形成されている。
連結筒８５の内周面のうち後方側に位置する部分には、連結筒８５の内側に向けて左右方向に沿って突出した一対の連結軸８６が形成されている。これら連結軸８６は、ピストン５２の連結部７０に形成された連結孔内に挿入されている。これにより、トリガー部５１とピストン５２とは、互いに連結されている。
【００４４】
なお、ピストン５２の連結部７０は、連結軸８６に対してその軸線回りに回動可能とされ、かつ上下方向で所定量だけ移動可能に連結されている。これにより、トリガー部５１の前後方向への揺動に伴って、ピストン５２は前後移動可能とされている。
【００４５】
上板部材８４の左右両側には、左右方向から見た側面視で前方に凸の円弧状に形成され、かつ射出筒部１１の下方まで延びる上記弾性板部５４がそれぞれ一体的に形成されている。弾性板部５４は、左右方向から見た側面視で互いに同心の円弧状に形成され、前後に並ぶ一対の板ばねを備えている。
【００４６】
一対の板ばねのうち、前側に位置する板ばねが主板ばね５４ａとされ、後側に位置する板ばねが副板ばね５４ｂとされている。
これら主板ばね５４ａおよび副板ばね５４ｂの下端部は、円弧状の折返し部５４ｃを介して一体的に接続されている。折返し部５４ｃには、下方に向けて係止片５４ｄが突設されており、この係止片５４ｄがトリガー部５１における側板部材８１に形成されたポケット部８１ａに上方から差し込まれて係合している。
これにより、弾性板部５４は、係止片５４ｄおよびポケット部８１ａを介してトリガー部５１を前方に向けて付勢している。
【００４７】
トリガー部５１の主板部材８０の上端部は、弾性板部５４の付勢によって後述する連結部材２０の当接部２０ｇに対して後方から当接している。これにより、トリガー部５１は最前方揺動位置に位置決めされている。
なお、最前方揺動位置からトリガー部５１が後方に引かれると、弾性板部５４が係止片５４ｄを介して折返し部５４ｃを後方に移動させるように弾性変形する。このとき、弾性板部５４は、主板ばね５４ａよりも副板ばね５４ｂが大きく弾性変形する。
【００４８】
なお、係止片５４ｄは、トリガー部５１が後方に引かれた場合であっても、ポケット部８１ａから上方に抜け出しつつもトリガー部５１が最後方揺動位置（最後方移動位置）に至るまでポケット部８１ａへの係合状態を維持する。
【００４９】
連結部材２０は、射出筒部１１の前端開口部よりも前側に位置し、前端開口部に対して対向配置された対向板部２１と、対向板部２１から後方に向けて延び、射出筒部１１に外嵌された第１筒部２２と、対向板部２１から前方に向けて延びる第２筒部２３と、を備えている。
第２筒部２３は、射出筒部１１の中心軸線に対して下方に偏心した位置に配置されている。対向板部２１のうち、第２筒部２３の内側に位置する部分には、射出孔２５が形成されている。射出孔２５は、対向板部２１を前後方向に貫通している。また、第２筒部２３の内側には、射出孔２５と噴出孔４とを連通する連通路２３７が形成されている。これにより、第２筒部２３の内部は、連通路２３７および射出孔２５を通して射出筒部１１の内部に連通している。
【００５０】
ノズル部３は噴出器本体２よりも前方側に配置され、噴出孔４が形成されたノズル体２２０を備えている。ノズル体２２０には、前後方向に延在し、かつ第２筒部２３に外嵌された外嵌筒部２２１と、外嵌筒部２２１の前端を閉塞するとともに中央に噴出孔４が形成されたノズル壁部２２２と、ノズル壁部２２２の後側に画成された蓄圧室２２３と、蓄圧室２２３に収容された蓄圧弁１２４および金属製のコイルスプリング２２５と、が備えられている。ノズル体２２０は、外嵌筒部２２１が連結部材２０の第２筒部２３に外嵌されたことにより、連結部材２０を介して射出筒部１１に連結される。
【００５１】
蓄圧弁１２４は、コイルスプリング２２５により前方に付勢されて、ノズル壁部２２２における後面に形成された弁座部２２４に着座し、噴出孔４を閉塞する。蓄圧弁１２４の後半部には小径ピストン部１２４ａが形成され、蓄圧弁１２４の前半部には大径ピストン部１２４ｂが形成されている。蓄圧弁１２４は、射出孔２５および連通路２３７から導入される液体の圧力を両ピストン部１２４ａ、１２４ｂに作用させる。この圧力が一定以上となると、両ピストン部１２４ａ、１２４ｂの受圧面積の差により蓄圧弁１２４が後退し、噴出孔４を開放する。
【００５２】
そして、本実施形態では、ピストンガイド６２が、シリンダ径方向の内側に向けて弾性変形可能に形成されている。ピストンガイド６２は、その周方向の一部が、シリンダ径方向に薄肉に形成されていることで、シリンダ径方向の内側に向けて弾性変形可能に形成されている。
図２に示すように、ピストンガイド６２の外径は、全周にわたって同等となっている。前後方向から見た横断面視において、ピストンガイド６２の周壁のうち、シリンダ軸Ｏ２よりも上方に位置する部分には、内周面がシリンダ径方向の外側に向けて張り出した薄肉部９１が形成されている。薄肉部９１の外周面は、ピストンガイド６２の外周面と一致している。図示の例では、薄肉部９１はピストンガイド６２の周壁に１箇所形成されている。
【００５３】
また、ピストンガイド６２の周壁のうち、シリンダ軸Ｏ２をシリンダ径方向に挟む薄肉部９１の反対側に位置する部分には、シリンダ径方向の厚みが薄肉部９１よりも大きい非形成部９２が形成されている。非形成部９２の外周面は、ピストンガイド６２の外周面と一致し、非形成部９２の内周面は、非形成部９２の外周面と同心円形状をなしている。
薄肉部９１および非形成部９２の各周端部同士は、接続部９３により互いに接続されている。接続部９３は、薄肉部９１の周端部から非形成部９２の周端部に向かうに従い漸次、シリンダ径方向の厚みが大きくなっている。
【００５４】
薄肉部９１は、ピストンガイド６２のうち、少なくとも前端部から、最前方移動位置に位置するピストン５２における摺動筒部７３の後端部が当接する部分まで形成されている。図示の例では、薄肉部９１は、ピストンガイド６２のうち、前端部から窪み部６２ｂとの接続部分までにわたって形成されている。
【００５５】
薄肉部９１は、ピストンガイド６２の周壁のうち、シリンダ軸Ｏ２を中心とする中心角が１８０°よりも狭い範囲に形成されている。薄肉部９１の周方向の中央部が、ピストンガイド６２の上端に位置している。薄肉部９１のシリンダ径方向の大きさは、周方向の全域にわたって同等となっている。
薄肉部９１の周端部における内周面は、シリンダ径方向の外側に向けて突の曲面状に形成されている。接続部９３の内周面は前記横断面視で平坦状に形成されている。接続部９３の外周面は、ピストンガイド６２の外周面と一致している。非形成部９２はシリンダ軸Ｏ２よりも下方に位置し、シリンダ軸Ｏ２を中心とする中心角が１８０°よりも狭い範囲に形成されている。
【００５６】
また、本実施形態では、トリガー式液体噴出器１が、噴出孔４を通した外部とノズル部３内との連通を遮断する遮断手段としての蓋部２２６を備えている。蓋部２２６は、ノズル部３に配設され、噴出孔４を前方から開閉自在に閉塞する。蓋部２２６の上端部は、ノズル壁部２２２に、左右方向に延びる開閉軸１７６回りに回転自在に装着されている。蓋部２２６は、開閉軸１７６回りの前方に向けて回転することで、噴出孔４を開放する。
なお、遮断手段としては、蓋部２２６に限られず、例えば連結部材２０およびノズル部３の周方向の相対位置を切り替えることで、噴出孔４を通した外部とノズル部３内との連通を遮断するような構成等であってもよい。
【００５７】
次に、上述のように構成されたトリガー式液体噴出器１の作用について説明する。
トリガー部５１を弾性板部５４の付勢力に抗して後方に引くと、トリガー部５１の後方移動に伴ってピストン５２が後退するので、シリンダ５３の貯留室５３ａ内の液体が、連通孔６６内、および連絡通路Ｌ２、を通して射出筒部１１内に導入される。このとき、逆止弁３６が閉弁され、射出筒部１１内と容器体Ａ内との供給通路Ｌ１を通した連通が遮断されるとともに、射出筒部１１内が加圧され、射出孔２５を通して蓄圧弁１２４における小径ピストン部１２４ａおよび大径ピストン部１２４ｂの各内部も加圧される。
【００５８】
この際、大径ピストン部１２４ｂの内径は、小径ピストン部１２４ａの内径よりも大きくなっているので、これら小径ピストン部１２４ａおよび大径ピストン部１２４ｂの各受圧面積の差によって、蓄圧弁１２４には後方に向けた圧力が作用する。この圧力が所定の圧力以上になると、蓄圧弁１２４がコイルスプリング２２５の前方付勢力に抗して後退させられ、蓄圧弁１２４の前端部が弁座部２２４から離間することにより、射出筒部１１の内部と噴出孔４とが、射出孔２５、連通路２３７、蓄圧弁１２４の内部、および蓄圧弁１２４の前端部と弁座部２２４との間の隙間を通して連通し、噴出孔４から液体が噴射される。
【００５９】
トリガー部５１を引く操作を止めると、貯留室５３ａ内から縦供給筒部１０の連絡通路Ｌ２を通した射出筒部１１内への液体の供給が停止される。このとき、コイルスプリング２２５の前方付勢力により蓄圧弁１２４が前進し、蓄圧弁１２４の前端部が弁座部２２４に着座してこれを閉塞し、射出筒部１１の内部と噴出孔４との連通を遮断させる。
そして、弾性板部５４の弾性復元力によってトリガー部５１が前方に付勢されて元の位置に復帰するので、これに伴ってピストン５２が前進する。そのため、貯留室５３ａ内に負圧が生じ、この負圧によってパイプ１５を通じて容器体Ａ内の液体を縦供給筒部１０の供給通路Ｌ１に吸い上げることができる。
すると、新たに吸い上げられた液体は、逆止弁３６を押し上げて開弁させ、連絡通路Ｌ２を通して貯留室５３ａ内に導入される。これにより、次の噴射に備えることができる。
【００６０】
以上説明したように、本実施形態に係るトリガー式液体噴出器１によれば、ピストンガイド６２がシリンダ径方向の内側に向けて弾性変形可能に形成されているので、例えばトリガー部５１が後方に向けて勢いよく牽引され、逆止弁３６よりも下流側に位置するシリンダ５３内、射出筒部１１内、およびノズル部３内等の圧力が急激に上昇すると、シリンダ５３内の液体が、ピストンガイド６２の外周面をシリンダ径方向の内側に変形させながら、ピストンガイド６２の外周面と、摺動筒部７３の内周面と、の間を通り抜け、ピストン本体部７２内に流入する。そしてこの液体は、ピストンガイド６２の連通開口部６２ａ内を通してピストンガイド６２内に流入し、回収通路４３を通して容器体Ａ内に戻される。これにより、急激に上昇したシリンダ５３内の圧力を低下させることができる。
【００６１】
また、ピストンガイド６２の周方向の一部が、シリンダ径方向の内側に向けて弾性変形可能に形成されているので、ピストンガイド６２にシリンダ５３内の液体の圧力が加えられると、ピストンガイド６２の弾性変形可能に形成された周方向の一部に力が集中して加わりやすくなり、この周方向の一部を容易に変形させることができる。
また、このように弾性変形可能に形成された薄肉部９１が、ピストンガイド６２の周壁に１箇所形成されているので、シリンダ５３内の液体の圧力が、分散することなく集中して薄肉部９１に加わりやすくなり、より一層容易に弾性変形させることができる。
また、ピストンガイド６２は、シリンダ径方向に薄肉に形成されて弾性変形可能に形成されているので、例えばピストンガイド６２を複数の材質を組み合わせて形成するような構成と比較して、ピストンガイド６２を容易に弾性変形可能に形成することができる。
【００６２】
また、トリガー式液体噴出器１が、噴出孔４を通した外部とノズル部３内との連通を遮断する蓋部２２６を備えているので、遮断手段により噴出孔４を通した外部とノズル部３内との連通が遮断されている場合に、例えばトリガー部５１が後方に向けて勢いよく牽引されると、特にシリンダ５３内の圧力が高まりやすくなっているにもかかわらず、このように上昇したシリンダ５３内の圧力を低下させることができる。
【００６３】
本発明は上記した実施の形態に限定されるものではなく、その趣旨を逸脱しない範囲で適宜変更可能である。
【００６４】
例えば、上記各実施形態においては、ピストンガイド６２の周方向の一部が、シリンダ径方向の内側に向けて弾性変形可能に形成されている構成を示したが、このような態様に限られない。例えば、ピストンガイド６２の周壁に、薄肉部９１が周方向に間隔をあけて複数配置されてもよいし、ピストンガイド６２の周方向の全体が、弾性変形可能に形成されてもよい。
【００６５】
また、上記実施形態においては、ピストンガイド６２がシリンダ径方向に薄肉に形成されて弾性変形可能に形成されている構成を示したが、このような態様に限られない。例えば、ピストンガイド６２の周壁が、材質の異なる複数の材料を組み合わせて形成され、弾性率の低い材質の部分において、弾性変形可能に形成されてもよい。
【００６６】
また、上記実施形態においては、トリガー式液体噴出器１が、噴出孔４を通した外部とノズル部３内との連通を遮断する遮断手段としての蓋部２２６を備えた構成を示したが、このような態様に限られない。トリガー式液体噴出器１は、遮断手段を備えなくてもよい。
また、上記実施形態においては、ピストンガイド６２の外周面における後端部に、環状の窪み部６２ｂが形成されている構成を示したが、このような態様に限られない。ピストンガイド６２の外周面に窪み部６２ｂが形成されなくてもよい。このような場合には、薄肉部９１は、ピストンガイド６２における前後方向の全域にわたって形成してもよい。
【００６７】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００６８】
１  トリガー式液体噴出器
２  噴出器本体
４  噴出孔
３  ノズル部
１０  縦供給筒部
１１  射出筒部
３６  逆止弁  
４３  回収通路
５０  トリガー機構
５１  トリガー部
５２  ピストン
５３  シリンダ
６２  ピストンガイド
６２ａ  連通開口部
７２  ピストン本体部
７３  摺動筒部
２２６  蓋部（遮断手段）
Ａ  容器体
【図１】
2018108543.tif 000003
【図２】
2018108543.tif 000004